(57)【要約】【課題】包装箱に収納した２つの物品同士の衝突を防ぐ。【解決手段】包装箱入り物品１００は、包装箱５００と、照明装置２００と、付属品４００とを備える。包装箱５００において、蓋部５３０は、第１外装部の上端につながっている。第１緩衝部は、第１外装部とは別の外装部である第２外装部５１２の上端から、第２外装部５１２に対して斜め、かつ、底部５２０に近づく方向に延び、途中で少なくとも１回折れ曲がり、その折れ曲がっている箇所から、底部５２０から離れる方向に延びている。照明装置２００は、一部分が底部５２０と第１緩衝部との間の領域に配置され、残りの部分が第１緩衝部よりも第２外装部５１２から遠い領域に配置されている状態で収納される。一方、付属品４００は、第１緩衝部により保持されている状態で収納される。【選択図】図２
2017165475.tif 000002
【特許請求の範囲】
【請求項１】
収納用の空間を取り囲む複数の外装部と、前記複数の外装部のそれぞれの下端につながっている底部と、前記複数の外装部のいずれか１つである第１外装部の上端につながっている蓋部と、前記複数の外装部のうち前記第１外装部とは別の第２外装部の上端から、前記第２外装部に対して斜め、かつ、前記底部に近づく方向に延び、途中で少なくとも１回折れ曲がり、その折れ曲がっている箇所から、前記底部から離れる方向に延びている緩衝部とを有する包装箱と、
一部分が前記底部と前記緩衝部との間の領域に配置され、残りの部分が前記緩衝部よりも前記第２外装部から遠い領域に配置されている状態で、前記空間に収納された第１物品と、
前記緩衝部により保持されている状態で、前記空間に収納された第２物品と
を備える包装箱入り物品。
【請求項２】
前記緩衝部は、前記第２外装部の上端につながっている端と途中の折れ曲がっている箇所との間に差込スリットが形成され、途中の折れ曲がっている箇所から、少なくとも一部が前記差込スリットに向かって延び、その延びている部分の先端に差込片が形成され、
前記第２物品は、前記差込スリットに前記差込片が差し込まれている状態で、前記緩衝部に挟み込まれている請求項１に記載の包装箱入り物品。
【請求項３】
前記緩衝部には、前記差込片が１対形成され、前記差込片の間には、手指を掛けるための切り欠き部が設けられている請求項２に記載の包装箱入り物品。
【請求項４】
前記緩衝部は、途中の折れ曲がっている箇所から、前記差込スリットに向かって延びている部分とは反対側に保持片が１対形成され、
前記第１物品の前記残りの部分は、前記保持片により保持されている請求項２または３に記載の包装箱入り物品。
【請求項５】
前記緩衝部は、途中の折れ曲がっている箇所から、少なくとも一部が前記蓋部に向かって延び、その延びている部分の先端に突当片が形成され、
前記第２物品は、前記蓋部に前記突当片が当たっている状態で、前記緩衝部により保持されている請求項１から４のいずれか１項に記載の包装箱入り物品。
【請求項６】
前記第２外装部は、前記第１外装部に隣接する外装部であり、
前記包装箱は、前記緩衝部である第１緩衝部のほかに、前記複数の外装部のうち前記第２外装部に対向する第３外装部の上端から、前記第３外装部に対して斜め、かつ、前記底部に近づく方向に延びている第２緩衝部を有し、
前記第１物品の前記残りの部分は、前記第２緩衝部に接触している状態で、前記第１緩衝部よりも前記第２外装部から遠い領域に配置されている請求項１から５のいずれか１項に記載の包装箱入り物品。
【請求項７】
前記第２緩衝部には、保持スリットが形成され、
前記第１物品の前記残りの部分は、突出した部分が前記保持スリットに嵌められることで前記第２緩衝部により保持されている請求項６に記載の包装箱入り物品。
【請求項８】
前記第１物品は、照明装置であり、
前記第２物品は、前記照明装置の付属品である請求項１から７のいずれか１項に記載の包装箱入り物品。
【請求項９】
収納用の空間を取り囲む複数の外装部と、前記複数の外装部のそれぞれの下端につながっている底部と、前記複数の外装部のいずれか１つである第１外装部の上端につながっている蓋部と、前記複数の外装部のうち前記第１外装部とは別の第２外装部の上端から、前記第２外装部に対して斜め、かつ、前記底部に近づく方向に延び、途中で少なくとも１回折れ曲がり、その折れ曲がっている箇所から、前記底部から離れる方向に延びている緩衝部とを有する包装箱を組み立て、
第１物品を前記空間に収納する際に、前記第１物品の一部分を前記底部と前記緩衝部との間の領域に配置し、前記第１物品の残りの部分を前記緩衝部よりも前記第２外装部から遠い領域に配置し、
第２物品を前記空間に収納する際に、前記第２物品を前記緩衝部に保持させる包装方法。
【発明の詳細な説明】
【技術分野】
【０００１】
本発明は、包装箱入り物品および包装方法に関するものである。
【背景技術】
【０００２】
特許文献１には、上下方向の衝撃に対して収容物を保護する緩衝機能と、収容物同士の衝突に対する保護機能との両方を備える緩衝中仕切り付き包装用箱が開示されている。
【先行技術文献】
【特許文献】
【０００３】
【特許文献１】特開２０１５−１３６７２号公報
【発明の概要】
【発明が解決しようとする課題】
【０００４】
従来の包装用箱は、収容物のほかに付属物を収納することができるが、収容物と付属物との接触を許容する構造になっているので、収容物と付属物とが衝突して損傷するおそれがある。
【０００５】
本発明は、包装箱に収納した２つの物品同士の衝突を防ぐことを目的とする。
【課題を解決するための手段】
【０００６】
本発明の一態様に係る包装箱入り物品は、
収納用の空間を取り囲む複数の外装部と、前記複数の外装部のそれぞれの下端につながっている底部と、前記複数の外装部のいずれか１つである第１外装部の上端につながっている蓋部と、前記複数の外装部のうち前記第１外装部とは別の第２外装部の上端から、前記第２外装部に対して斜め、かつ、前記底部に近づく方向に延び、途中で少なくとも１回折れ曲がり、その折れ曲がっている箇所から、前記底部から離れる方向に延びている緩衝部とを有する包装箱と、
一部分が前記底部と前記緩衝部との間の領域に配置され、残りの部分が前記緩衝部よりも前記第２外装部から遠い領域に配置されている状態で、前記空間に収納された第１物品と、
前記緩衝部により保持されている状態で、前記空間に収納された第２物品とを備える。
【発明の効果】
【０００７】
本発明によれば、包装箱に収納した第１物品と第２物品との衝突を防ぐことができる。
【図面の簡単な説明】
【０００８】
【図１】実施の形態１に係る包装箱入り物品の斜視図。
【図２】実施の形態１に係る包装箱入り物品のＡ−Ａ断面図。
【図３】実施の形態１に係る包装箱入り物品の分解斜視図。
【図４】実施の形態１に係る包装箱の展開図。
【図５】実施の形態１に係る包装箱の展開図。
【図６】実施の形態１に係る包装箱の組み立ておよび物品収納の手順を示す図。
【図７】実施の形態１に係る包装箱の組み立ておよび物品収納の手順を示す図。
【図８】実施の形態１に係る包装箱入り物品のＢ部拡大図。
【図９】実施の形態１に係る包装箱入り物品の開梱の様子を示す図。
【図１０】実施の形態１に係る照明装置の断面図。
【図１１】実施の形態１の第１変形例に係る照明装置の斜視図。
【図１２】実施の形態１の第２変形例に係る照明装置の斜視図。
【図１３】実施の形態１の第３変形例に係る照明装置の斜視図。
【発明を実施するための形態】
【０００９】
以下、本発明の実施の形態について、図を用いて説明する。なお、各図中、同一または相当する部分には、同一符号を付している。実施の形態の説明において、同一または相当する部分については、説明を適宜省略または簡略化する。また、実施の形態の説明において、「上」、「下」、「左」、「右」、「前」、「後」、「表」、「裏」、「オモテ」、「ウラ」といった配置または向きは、説明の便宜上、そのように記しているだけであって、装置、器具、部品等の配置または向きを限定するものではない。装置、器具、部品等の構成について、材質、形状、大きさ等は、本発明の範囲内で適宜変更することができる。
【００１０】
実施の形態１．
＊＊＊構成の説明＊＊＊
図１、図２および図３を参照して、本実施の形態に係る包装箱入り物品１００の構成を説明する。図１は、包装箱入り物品１００を斜め上方から見た図である。図２は、図１に示したＡ−Ａ線を中心線とする包装箱入り物品１００の縦断面を示す図である。図３は、包装箱入り物品１００が分解された状態を示す図である。
【００１１】
包装箱入り物品１００は、第１物品に相当する照明装置２００と、第２物品に相当し、照明装置２００の取扱説明書である付属品４００と、照明装置２００および付属品４００を収納する包装箱５００とを備える。なお、包装箱５００には、照明装置２００の一部のユニットのみが収納されてもよいし、照明装置２００に代えて、照明コントローラ等、他の機器、あるいは、その他の物品が収納されてもよい。すなわち、包装箱入り物品１００は、第１物品として、照明装置２００以外の物品を備えていてもよい。また、包装箱５００には、付属品４００として、照明装置２００の取扱説明書以外の書類、あるいは、ネジまたはリベット等の固定具が収納されてもよい。
【００１２】
図１から図３のほか、図４および図５を参照して、包装箱５００の構成を説明する。図４は、包装箱５００を構成する板紙のオモテ面を示す図である。図５は、包装箱５００を構成する板紙のウラ面を示す図である。
【００１３】
包装箱５００は、外観意匠部である外装材として、底部５２０、第１外装部５１１、第２外装部５１２、第３外装部５１３、第４外装部５１４および蓋部５３０を有する。また、包装箱５００は、外装材を支持または固定するための補助部材として、貼合片５１６を有する。さらに、包装箱５００は、衝撃緩和部である緩衝材として、第１緩衝部５６０および第２緩衝部５９０を有する。本実施の形態において、包装箱５００は、図４に示すオモテ面が外側を向き、図５に示すウラ面が内側を向くように１枚の板紙を折り曲げて組み立てられている。すなわち、包装箱５００の外装材と補助部材と緩衝材は、一体に形成されている。
【００１４】
なお、本実施の形態では、包装箱５００が、収納用の空間６００を取り囲む複数の外装部として、第１外装部５１１、第２外装部５１２、第３外装部５１３および第４外装部５１４という４つの外装部を有するが、外装部の数は適宜変更することができる。すなわち、包装箱５００の形状は、直方体に限らず、五角柱、六角柱といった他の多角柱でもよい。また、本実施の形態では、包装箱５００の底部５２０および蓋部５３０がいずれも平板状であるが、底部５２０および蓋部５３０の形状は適宜変更することができる。すなわち、包装箱５００の形状は、多角柱にも限られない。さらに、本実施の形態では、包装箱５００の外装材と緩衝材とが１枚の板紙によって形成されているが、これに限らず実質的に一体に形成されていればよい。
【００１５】
底部５２０は、４つの外装部のそれぞれの下端につながっている。すなわち、底部５２０は、第１外装部５１１、第２外装部５１２、第３外装部５１３および第４外装部５１４のそれぞれの下端につながっている。底部５２０は、任意の方式で構成されていてよいが、本実施の形態では組み込みロック方式で構成されており、具体的には、第１底面フラップ５２１、第２底面フラップ５２２、第３底面フラップ５２３および第４底面フラップ５２４を組み合わせて構成されている。第１底面フラップ５２１は、第１外装部５１１に第５折り目７０５を介してつながっている。第２底面フラップ５２２は、第２外装部５１２に第６折り目７０６を介してつながっている。第３底面フラップ５２３は、第４外装部５１４に第７折り目７０７を介してつながっている。第４底面フラップ５２４は、第３外装部５１３に第８折り目７０８を介してつながっている。底部５２０は、包装箱５００の下面を形成している。
【００１６】
第１外装部５１１は、４つの外装部のいずれか１つである。第１外装部５１１は、包装箱５００の背面を形成している。
【００１７】
第２外装部５１２は、４つの外装部のうち第１外装部５１１とは別の外装部であり、具体的には、４つの外装部のうち第１外装部５１１に隣接する２つの外装部のいずれか１つである。第２外装部５１２は、第１外装部５１１に第２折り目７０２を介してつながっている。第２外装部５１２は、包装箱５００の左側面を形成している。
【００１８】
第３外装部５１３は、４つの外装部のうち第２外装部５１２に対向する外装部である。第３外装部５１３は、包装箱５００の右側面を形成している。
【００１９】
第４外装部５１４は、４つの外装部のうち第１外装部５１１に対向する外装部である。第４外装部５１４は、第２外装部５１２の第１外装部５１１につながっている側とは反対側に第３折り目７０３を介してつながっているとともに、第３外装部５１３に第４折り目７０４を介してつながっている。第４外装部５１４は、包装箱５００の正面を形成している。
【００２０】
蓋部５３０は、第１外装部５１１の上端につながっている。蓋部５３０は、本実施の形態では１枚の外フラップのみで構成されているが、２枚の外フラップを突き合わせる構成としてもよい。蓋部５３０は、具体的には、第１天面フラップ５４０で構成されている。第１天面フラップ５４０の一端には、差込フラップ５５０が設けられている。第１天面フラップ５４０は、第１外装部５１１に第９折り目７０９を介してつながっている。差込フラップ５５０は、第１天面フラップ５４０の第１外装部５１１につながっている側とは反対側に第２１折り目７２１を介してつながっている。蓋部５３０は、包装箱５００の上面を形成している。なお、蓋部５３０を、２枚の外フラップを突き合わせる構成とする場合は、第４外装部５１４とつながる別の天面フラップを追加すればよい。
【００２１】
貼合片５１６は、第１外装部５１１の第２外装部５１２につながっている側とは反対側に第１折り目７０１を介してつながっている。貼合片５１６は、第３外装部５１３の端部である貼合部５１５に貼り合わされる。
【００２２】
第１緩衝部５６０は、第２外装部５１２の上端から、第２外装部５１２に対して斜め、かつ、底部５２０に近づく方向に延び、途中で少なくとも１回折れ曲がり、その折れ曲がっている箇所から、底部５２０から離れる方向に延びている。本実施の形態では、第１緩衝部５６０が、途中で３回折れ曲がっており、第２外装部５１２の上端につながっている端から順番に、下面部５６１、側面部５６３、突当面部５６８、上面部５６４が形成されている。下面部５６１は、第２外装部５１２に第１０折り目７１０を介してつながっている。側面部５６３は、下面部５６１の第２外装部５１２につながっている側とは反対側に第１４折り目７１４および第１５折り目７１５を介してつながっている。突当面部５６８は、側面部５６３の下面部５６１につながっている側とは反対側に第１６折り目７１６および第１７折り目７１７を介してつながっている。上面部５６４は、突当面部５６８の側面部５６３につながっている側とは反対側に第１８折り目７１８、第１９折り目７１９および第２０折り目７２０を介してつながっている。
【００２３】
第１緩衝部５６０において、第２外装部５１２の上端につながっている端と途中の折れ曲がっている箇所との間の部分に相当する下面部５６１には、差込スリット５６２が形成されている。
【００２４】
第１緩衝部５６０において、途中の折れ曲がっている箇所からは、少なくとも一部が差込スリット５６２に向かって延び、その延びている部分に相当する上面部５６４の先端には、差込片５６５が形成されている。差込片５６５の数は、任意の数でよいが、本実施の形態では、差込片５６５が１対形成され、差込片５６５の間には、手指を掛けるための切り欠き部５６６が設けられている。開梱時には、切り欠き部５６６に手指を差し込むことで作業が容易になる。
【００２５】
第１緩衝部５６０において、途中の折れ曲がっている箇所からは、差込スリット５６２に向かって延びている部分に相当する上面部５６４とは反対側に保持片５６７が１対形成されている。保持片５６７は、第１８折り目７１８と第１９折り目７１９との間に１つ、第１９折り目７１９と第２０折り目７２０との間に１つ形成されている。保持片５６７は、照明装置２００と当接して照明装置２００を保持する機能を有する。
【００２６】
第１緩衝部５６０において、途中の折れ曲がっている箇所からは、少なくとも一部が蓋部５３０に向かって延び、その延びている部分に相当する突当面部５６８の両端部の先端には、突当片５６９が形成されている。突当片５６９は、第１天面フラップ５４０の内側に当接して第１天面フラップ５４０を支える機能を有する。
【００２７】
第１緩衝部５６０には、下面部５６１、側面部５６３および突当面部５６８に亘って開口部５７０が設けられている。開口部５７０は、第１４折り目７１４と第１５折り目７１５とを互いに隔てているとともに、第１６折り目７１６と第１７折り目７１７とを互いに隔てている。開口部５７０は、照明装置２００が収納された状態で包装箱５００を組み立てる際または開梱する際に、第１緩衝部５６０が照明装置２００と干渉することを防ぐために設けられている。つまり、開口部５７０があることで、第１緩衝部５６０が照明装置２００に擦れたり、引っ掛かったりすることがなく、スムーズに組み立て作業または開梱作業を行うことができる。このため、照明装置２００の傷、汚れ等を防止できる。
【００２８】
第２緩衝部５９０は、第３外装部５１３の上端から、第３外装部５１３に対して斜め、かつ、底部５２０に近づく方向に延びている。本実施の形態では、第２緩衝部５９０が、底部５２０に近づく方向に延びながら、途中で１回折れ曲がっており、さらに、底部５２０に到達してからも１回折れ曲がり、第３外装部５１３の下端付近に到達している。第３外装部５１３の上端につながっている端から順番に、上面部５９３、側面部５９２、下面部５９１が形成されている。上面部５９３は、第３外装部５１３に第１１折り目７１１を介してつながっている。側面部５９２は、上面部５９３の第３外装部５１３につながっている側とは反対側に第１２折り目７１２を介してつながっている。下面部５９１は、側面部５９２の上面部５９３につながっている側とは反対側に第１３折り目７１３を介してつながっている。
【００２９】
第２緩衝部５９０には、保持スリット５９４が形成されている。具体的には、上面部５９３に保持スリット５９４が形成されている。保持スリット５９４は、照明装置２００の突起部分との干渉を避け、突起部分を挟持する状態で照明装置２００を保持する機能を有する。照明装置２００の突起部分は、具体的には、後述する取り付けバネ２２０等である。
【００３０】
照明装置２００は、一部分が底部５２０と第１緩衝部５６０との間の領域に配置され、残りの部分が第１緩衝部５６０よりも第２外装部５１２から遠い領域に配置されている状態で、空間６００に収納される。一方、付属品４００は、第１緩衝部５６０により保持されている状態で、空間６００に収納される。このため、第１緩衝部５６０によって照明装置２００と付属品４００との衝突、接触を防ぐことができる。
【００３１】
本実施の形態において、付属品４００は、差込スリット５６２に差込片５６５が差し込まれている状態で、第１緩衝部５６０に挟み込まれる。すなわち、付属品４００は、照明装置２００とは別の空間６５０に隔離される。このため、第１緩衝部５６０によって付属品４００を確実に保持することができる。
【００３２】
本実施の形態において、照明装置２００の残りの部分、すなわち、第１緩衝部５６０よりも第２外装部５１２から遠い領域に配置される部分は、保持片５６７により保持される。このため、照明装置２００が動くことが防止され、より確実に照明装置２００を保護することができる。
【００３３】
本実施の形態において、付属品４００は、蓋部５３０に突当片５６９が当たっている状態で、第１緩衝部５６０により保持される。このため、第１緩衝部５６０が動くことが防止され、より確実に付属品４００を保持することができる。
【００３４】
本実施の形態において、照明装置２００の残りの部分、すなわち、第１緩衝部５６０よりも第２外装部５１２から遠い領域に配置される部分は、第２緩衝部５９０に接触している状態で、当該領域に配置される。しかも、当該部分は、突出した部分が保持スリット５９４に嵌められることで第２緩衝部５９０により保持される。このため、照明装置２００が動くことが防止され、より確実に照明装置２００を保護することができる。
【００３５】
本実施の形態において、照明装置２００の残りの部分、すなわち、第１緩衝部５６０よりも第２外装部５１２から遠い領域に配置される部分は、外観意匠部分であるツバ部２１１のオモテ面、傾斜部２１４のオモテ面、および光透過性カバー３１２（いずれも後述）以外の部分が保持片５６７により保持される。このため、意匠性と光学特性を損なうことなく、より確実に照明装置２００を保護することができる。
【００３６】
ここで、図６、図７および図８を参照して、包装箱５００を組み立てて、包装箱５００に照明装置２００および付属品４００を収納する手順を説明する。以下の手順は、本実施の形態に係る包装方法に相当する。
（１）図６の（ａ）に示すように、第１外装部５１１、第２外装部５１２、第３外装部５１３および第４外装部５１４の間の各折り目で板紙を折り曲げ、接着剤あるいは粘着テープ（いずれも不図示）等を用いて貼合片５１６を貼合部５１５に貼り合わせるとともに、第１底面フラップ５２１、第２底面フラップ５２２、第３底面フラップ５２３および第４底面フラップ５２４を組み合わせて底部５２０を作る。
（２）図６の（ｂ）に示すように、第２緩衝部５９０の各折り目で板紙を折り曲げ、第２緩衝部５９０を空間６００内に折り込んでから、照明装置２００を空間６００内に収納する。このとき、照明装置２００の１つの取り付けバネ２２０およびその周辺部を第２緩衝部５９０の保持スリット５９４に嵌める。
（３）図６の（ｃ）に示すように、第１緩衝部５６０の各折り目で板紙を折り曲げ、第１緩衝部５６０を空間６００内に折り込む。
（４）図７の（ａ）および図８の（ａ）に示すように、第１緩衝部５６０の下面部５６１と上面部５６４との隙間に付属品４００を挿入する。
（５）図７の（ｂ）および図８の（ｂ）に示すように、第１緩衝部５６０の差込片５６５を第１緩衝部５６０の差込スリット５６２に差し込むことで、第１緩衝部５６０の下面部５６１と上面部５６４との隙間に照明装置２００の収納領域から隔離された空間６５０を確保する。この空間６５０には、既に付属品４００が収納されている。
（６）図７の（ｃ）に示すように、差込フラップ５５０を空間６００内に差し込んで第１天面フラップ５４０を閉じ、第１天面フラップ５４０を固定するためのテープ８００を貼り付ける。
このようにして、本実施の形態に係る包装方法では、包装箱５００に対する照明装置２００の収納が、付属品４００の収納より先に行われ、包装箱５００に対する付属品４００の収納が、照明装置２００の収納より後に行われる。このため、梱包時に作業者が付属品４００を入れ忘れてしまうことを防ぐこともできる。
【００３７】
開梱時には、上記と逆の手順で作業を行えばよいが、本実施の形態では、図９に示すように、包装箱５００から照明装置２００が取り出される前に、必ず付属品４００が取り出されることになる。詳しくは、使用者は、第１天面フラップ５４０を開放し、第１緩衝部５６０を取り出すだけで、付属品４００に触れることなく付属品４００を包装箱５００から取り出すことができる。よって、使用者が付属品４００を取り出すことを忘れたり、あるいは、紛失したり、付属品４００を包装箱５００から取り出さずに廃棄したりすることを防ぐことができる。
【００３８】
図３のほか、図１０を参照して、本実施の形態に係る照明装置２００の構成を説明する。
【００３９】
照明装置２００は、枠体２１０と、照明ユニット３００とを備える。枠体２１０は、埋め込み穴２０２が設けられた天井２０１に取り付けられる。照明ユニット３００は、枠体２１０に着脱可能に取り付けられる。なお、枠体２１０は、天井２０１以外の被取り付け部に取り付けられてもよい。すなわち、照明装置２００は、天井２０１以外の被取り付け部に取り付けられて使用されてもよい。
【００４０】
枠体２１０は、ツバ部２１１と、傾斜部２１４とを備える。ツバ部２１１は、天井２０１に形成される円形の埋め込み穴２０２の縁部に当接する。ツバ部２１１から垂直方向に立ち上がる部分には、３つの取り付けバネ２２０が取り付けられる。傾斜部２１４は、ツバ部２１１の内側に斜め方向に形成され、中央部に円形状の開口部２１５を有する。ツバ部２１１および傾斜部２１４のオモテ面は、後述する光透過性カバー３１２とともに照明装置２００の外観意匠部分である。また、傾斜部２１４のオモテ面および光透過性カバー３１２は、照明装置２００の光学性能を決定する構成である。
【００４１】
ツバ部２１１は、リング状に形成されている。具体的には、ツバ部２１１は、天井２０１に設けられた埋め込み穴２０２の径よりも外径が大きく内径が小さくなるように環状に形成されている。
【００４２】
ツバ部２１１から垂直方向に立ち上がる部分には、３つの取り付けバネ保持部２１３が設けられている。
【００４３】
取り付けバネ２２０は、長手状かつ平板状の金属板が長手方向の少なくとも１箇所で鋭角に折り曲げられて形成される板バネである。取り付けバネ２２０の長手方向の一端は、取り付けバネ保持部２１３に取り付けられる。取り付けバネ２２０の長手方向の他端は、天井２０１に設けられた埋め込み穴２０２に引っ掛けられるように屈曲している。この屈曲した部分によって、照明装置２００を天井２０１に仮止めしたり、照明装置２００の落下を防止したりすることができる。
【００４４】
照明ユニット３００は、光源ユニット３１０と、電源ユニット３２０とを備える。
【００４５】
光源ユニット３１０は、光源素子３１１と、光透過性カバー３１２とを備える。
【００４６】
光源素子３１１は、ＬＥＤであるが、有機ＥＬまたはレーザといった他の種類の光源であってもよい。光透過性カバー３１２は、透光性を有する樹脂で形成されている。光透過性カバー３１２は、光源素子３１１を覆う。
【００４７】
電源ユニット３２０は、電源収納ケース３２１と、電源基板３２５と、金属プレート３２２と、電源端子台３２３と、放熱フィン３２４とを備える。
【００４８】
電源収納ケース３２１は、光源ユニット３１０に連結される有底の円筒形状のケースである。電源基板３２５は、電源収納ケース３２１に収納され、光源素子３１１に電力を供給する。電源基板３２５には、光源素子３１１を点灯させる点灯回路３２６が配置されている。金属プレート３２２は、電源収納ケース３２１の開口部分を塞ぐように電源収納ケース３２１に取り付けられる。電源端子台３２３は、金属プレート３２２に取り付けられ、電源基板３２５と電線を介して電気的に接続される。放熱フィン３２４は、電源収納ケース３２１の外周部に取り付けられる。
【００４９】
なお、光源ユニット３１０および電源ユニット３２０の構成は、適宜変更することができる。具体例として、照明ユニット３００は、出射される光の光束、光量、輝度といった明るさ、および、色温度、色調、色度といった色を、外部からの制御に基づいて任意の値に設定できる機能を備えてもよい。外部からの制御は、有線、無線のいずれかの方式を含むものとする。
【００５０】
本実施の形態において、照明装置２００は、さらに、検知部３３１と、支持部材３３３とを備える。
【００５１】
検知部３３１は、センサ３３２を有し、センサ３３２によって検知された検知状態を示す信号を、照明ユニット３００に取り付けられた支持部材３３３の内側を通過する信号線を介して照明ユニット３００に入力する。センサ３３２は、本実施の形態では人感センサであるが、明るさセンサ等、他の種類のセンサであってもよい。人感センサとしては、具体的には焦電型の赤外線センサが用いられるが、カメラ等、他の種類の人感センサであってもよい。
【００５２】
支持部材３３３は、検知部３３１を保持する。支持部材３３３は、照明ユニット３００に取り付けられている。具体的には、支持部材３３３は、一方の端がユニットカバー３３５に取り付けられている。また、支持部材３３３は、他方の端が枠体２１０の露出する側と反対側の面に当たることで、より確実に固定されている。本実施の形態では、枠体２１０の傾斜部２１４には、段差２１２が設けられており、この段差２１２のウラ側、すなわち、段差２１２の露出していない側の面に支持部材３３３が載せられることで、支持部材３３３が検知部３３１ごと枠体２１０によっても支持されている。なお、段差２１２には、センサ３３２を露出させるための開口部が設けられている。
【００５３】
本実施の形態において、照明ユニット３００は、さらに、制御部３３４と、ユニットカバー３３５を有する。
【００５４】
制御部３３４は、電源収納ケース３２１の外側に設置されている。具体的には、制御部３３４は、電源収納ケース３２１の外側から金属プレート３２２に取り付けられている。制御部３３４は、検知部３３１から入力される信号に基づいて点灯回路３２６の動作を制御する。電源端子台３２３は、電源基板３２５だけでなく、制御部３３４にも電力を供給する。
【００５５】
ユニットカバー３３５は、制御部３３４を覆うように、金属プレート３２２に取り付けられている。
【００５６】
本実施の形態では、照明装置２００が、拡散ダウンライトであるが、照明装置２００は、スポットライト、あるいは、配光角度を任意に設定できる他の種類の照明装置であってもよい。
【００５７】
＊＊＊実施の形態の効果の説明＊＊＊
本実施の形態によれば、包装箱５００に収納した照明装置２００と付属品４００との衝突、接触を防ぐことができる。
【００５８】
本実施の形態によれば、照明装置２００を、第１緩衝部５６０が空間６００の外部に配置された状態でのみ空間６００の外部に取り出し可能とすることができる。
【００５９】
本実施の形態によれば、付属品４００を、第１緩衝部５６０が空間６００の外部に配置された状態で空間６５０の外部に強制的に排出されるようにすることができる。
【００６０】
本実施の形態によれば、貼合片５１６を貼合部５１５に貼り合わせる以外に貼合される箇所がないので、包装箱５００に照明装置２００および付属品４００を収納する際の手間が少なく、照明装置２００および付属品４００に接着剤等を付着させてしまうおそれもない。
【００６１】
本実施の形態によれば、貼合片５１６を貼合部５１５に貼り合わせる以外に貼合される箇所がなく、包装箱５００は使用前あるいは使用後はコンパクトに折り畳むことができるので、包装箱５００の保管スペース、輸送コストを抑制することができる。
【００６２】
本実施の形態によれば、照明装置２００を、第１緩衝部５６０が空間６００の外部に配置された状態でのみ空間６００の内部に収納可能とすることができる。
【００６３】
＊＊＊他の構成＊＊＊
図１１を参照して、実施の形態１の第１変形例に係る照明装置２００の構成を説明する。主に実施の形態１との差異を説明する。
【００６４】
本例では、電源ユニット３２０が、放熱フィン３２４を備えていない。このように小型化および軽量化された照明装置２００も、実施の形態１と同じように、包装箱５００に収納される。
【００６５】
図１２を参照して、実施の形態１の第２変形例に係る照明装置２００の構成を説明する。主に実施の形態１との差異を説明する。
【００６６】
本例では、照明装置２００が、検知部３３１と、支持部材３３３とを備えていない。そのため、照明ユニット３００の制御部３３４およびユニットカバー３３５が省略されている。また、枠体２１０の傾斜部２１４には、段差２１２が設けられていない。このようにセンサ機能が省略された照明装置２００も、実施の形態１と同じように、包装箱５００に収納される。
【００６７】
図１３を参照して、実施の形態１の第３変形例に係る照明装置２００の構成を説明する。主に第２変形例との差異を説明する。
【００６８】
本例では、電源ユニット３２０が、放熱フィン３２４を備えていない。このように小型化および軽量化された照明装置２００も、第２変形例と同じように、包装箱５００に収納される。
【００６９】
以上、本発明の実施の形態について説明したが、この実施の形態を部分的に実施しても構わない。なお、本発明は、この実施の形態に限定されるものではなく、必要に応じて種々の変更が可能である。
【符号の説明】
【００７０】
１００  包装箱入り物品、２００  照明装置、２０１  天井、２０２  埋め込み穴、２１０  枠体、２１１  ツバ部、２１２  段差、２１３  取り付けバネ保持部、２１４  傾斜部、２１５  開口部、２２０  取り付けバネ、３００  照明ユニット、３１０  光源ユニット、３１１  光源素子、３１２  光透過性カバー、３２０  電源ユニット、３２１  電源収納ケース、３２２  金属プレート、３２３  電源端子台、３２４  放熱フィン、３２５  電源基板、３２６  点灯回路、３３１  検知部、３３２  センサ、３３３  支持部材、３３４  制御部、３３５  ユニットカバー、４００  付属品、５００  包装箱、５１１  第１外装部、５１２  第２外装部、５１３  第３外装部、５１４  第４外装部、５１５  貼合部、５１６  貼合片、５２０  底部、５２１  第１底面フラップ、５２２  第２底面フラップ、５２３  第３底面フラップ、５２４  第４底面フラップ、５３０  蓋部、５４０  第１天面フラップ、５５０  差込フラップ、５６０  第１緩衝部、５６１  下面部、５６２  差込スリット、５６３  側面部、５６４  上面部、５６５  差込片、５６６  切り欠き部、５６７  保持片、５６８  突当面部、５６９  突当片、５７０  開口部、５９０  第２緩衝部、５９１  下面部、５９２  側面部、５９３  上面部、５９４  保持スリット、６００  空間、６５０  空間、７０１  第１折り目、７０２  第２折り目、７０３  第３折り目、７０４  第４折り目、７０５  第５折り目、７０６  第６折り目、７０７  第７折り目、７０８  第８折り目、７０９  第９折り目、７１０  第１０折り目、７１１  第１１折り目、７１２  第１２折り目、７１３  第１３折り目、７１４  第１４折り目、７１５  第１５折り目、７１６  第１６折り目、７１７  第１７折り目、７１８  第１８折り目、７１９  第１９折り目、７２０  第２０折り目、７２１  第２１折り目、８００  テープ。
【図１】
2017165475.tif 000003
【図２】
2017165475.tif 000004
【図３】
2017165475.tif 000005
【図４】
2017165475.tif 000006
【図５】
2017165475.tif 000007
【図６】
2017165475.tif 000008
【図７】
2017165475.tif 000009
【図８】
2017165475.tif 000010
【図９】
2017165475.tif 000011
【図１０】
2017165475.tif 000012
【図１１】
2017165475.tif 000013
【図１２】
2017165475.tif 000014
【図１３】
2017165475.tif 000015